(57)【要約】      （修正有）【課題】製造コストが安価で、かつ、十分な滑落防止効果を果たせるヘアピンを提供する。【解決手段】滑落防止ヘアピン１０は、下部挟持片１１と上部挟持片１２とからなる二つ折り形状をなし、下部挟持片１１と上部挟持片１２とで頭髪を挟持するものであって、下部挟持片１１は、細幅であって、そのほぼ中間位置に上向きの中折れ部１１ａが形成され、かつ、下部挟持片１１の長手方向に滑り止め防止チューブ１１ｂが貫通して装着されてなり、上部挟持片１２は、上向き湾曲形状であって、下部挟持片１１の中折れ部１１ａが突き出る横長楕円空間部１２ａが形成された。【選択図】図３
0003110400.tif 000002
【実用新案登録請求の範囲】
【請求項１】
下部挟持片と上部挟持片とからなる二つ折り形状をなし、該下部挟持片と上部挟持片とで頭髪を挟持するものであって、
下部挟持片は、細幅であって、そのほぼ中間位置に上向きの中折れ部が形成され、かつ、下部挟持片の長手方向に滑り止め防止チューブが貫通して装着されてなり、
上部挟持片は、上向き湾曲形状であって、下部挟持片の中折れ部が突き出る横長楕円空間部が形成されてなる
ことを特徴とする滑落防止ヘアピン。
【請求項２】
下部挟持片に装着した滑り止め防止チューブが、中折れ部を含むその左右にわたって配されていることを特徴とする請求項１に記載の滑落防止ヘアピン。
【請求項３】
下部挟持片に装着した滑り止め防止チューブが、中折れ部を除く左右に配されていることを特徴とする請求項１に記載の滑落防止ヘアピン。
【請求項４】
下部挟持片に装着した滑り止め防止チューブが、中折れ部を除く左右に配されており、かつ、該左右の滑り止め防止チューブがそれぞれ分断して配されていることを特徴とする請求項１に記載の滑落防止ヘアピン。
【考案の詳細な説明】
【技術分野】
【０００１】
本考案は、髪の乱れを防止するため、あるいは、帽子などの頭部被り物の脱落を防止するために使用するヘアピンに関し、特に、使用時における滑落を防止したヘアピンに関する。
【背景技術】
【０００２】
従来より、上部挟持片と下部挟持片とで頭髪を挟持するようにしたヘアピンであって、使用の際、頭髪から滑落するのを防止するとともに、頭髪が痛むのを防ぐために、図７に示すように、下部挟持片１０２と、この下部挟持片１０２と重なるように湾曲させて形成した上部挟持片１０３とからなるヘアピン１０１において、上部挟持片１０３に摩擦被覆面１０４を設け、下部挟持片１０２と上部挟持片１０３とで頭髪を挟持した際、頭髪と摩擦被覆面１０４とが接触するように構成したものが提案されている（特許文献１）。
【特許文献１】実開平６−３８８０２号
【考案の開示】
【考案が解決しようとする課題】
【０００３】
しかしながら、上記背景技術に示した従来品では、製造コストを高く、また、頭髪に接触する下部挟持片の裏面側は摩擦被覆面でないため、十分な滑落防止効果が得られるものではなかった。
【０００４】
そこで、本考案者は、鋭意研究を重ね、製造コストが安価で、かつ、十分な滑落防止効果を果たせるヘアピンを開発した。
【課題を解決するための手段】
【０００５】
本考案に係る滑落防止ヘアピンは、下部挟持片と上部挟持片とからなる二つ折り形状をなし、該下部挟持片と上部挟持片とで頭髪を挟持するものであって、下部挟持片は、細幅であって、そのほぼ中間位置に上向きの中折れ部が形成され、かつ、下部挟持片の長手方向に滑り止め防止チューブが貫通して装着されてなり、上部挟持片は、上向き湾曲形状であって、下部挟持片の中折れ部が突き出る横長楕円空間部が形成されてなることを特徴とするものである。
【０００６】
なお、上記の構成において、下部挟持片に装着した滑り止め防止チューブが、中折れ部を含むその左右にわたって配されている構成としてもよく、また、中折れ部を除く左右に配されている構成としてもよく、さらに、下部挟持片に装着した滑り止め防止チューブが、中折れ部を除く左右に配されており、かつ、該左右の滑り止め防止チューブがそれぞれ分断して配されている構成としてもよい。
【０００７】
上記のように構成したことにより、下部挟持片に対して、その長手方向に滑り止めチューブを貫通して装着するだけの作業で本考案に係る滑落防止ヘアピンが製造できる。しかも、下部挟持片の裏面側にも滑り止め防止チューブが位置することになるので、下部挟持片と上部挟持片とにより挟持された頭髪が滑り止め防止チューブに接するだけでなく、下部挟持片の裏面に位置する滑り止め防止チューブにも頭髪が接する。
【考案の効果】
【０００８】
本考案に係る滑落防止ヘアピンは、下部挟持片に対して、その長手方向に滑り止めチューブを貫通して装着するだけの作業で本考案に係る滑落防止ヘアピンが製造できるので、製造コストが安価であり、しかも、下部挟持片の裏面側にも滑り止め防止チューブが配されることになるので、下部挟持片と上部挟持片とにより挟持された頭髪が滑り止め防止チューブに接するだけでなく下部挟持片の裏面に位置する滑り止め防止チューブにも頭髪が接するので、滑落防止効果が向上し、優れた効果を発揮し得るものである。
【考案を実施するための最良の形態】
【０００９】
以下に、本考案に係る好適な実施例を添付の図面を参照しながら説明する。
【実施例１】
【００１０】
図１は実施例１に係る滑落防止ヘアピンの上方から見た斜視図、図２は実施例１に係る滑落防止ヘアピンの下方から見た斜視図、図３は実施例１に係る滑落防止ヘアピンの上部挟持片を跳ね上げた状態を示す斜視図、図４は実施例１に係る滑落防止ヘアピンの使用状態を示す概略側面図である。
【００１１】
図１において、１０は本実施例に係る滑落防止ヘアピンであり、図１に示すように、１本の靱性のある細幅帯鉄を、折り曲げ部１０ａに丸みをもたせて二つ折りにすることにより下部挟持片１１と上部挟持片１２とを形成し、下部挟持片１１と上部挟持片１２とが互いに近づく方向に付勢力が働くように形成したものである。この付勢力により、該下部挟持片１１と上部挟持片１２とで頭髪を挟持する作用を果たす。
【００１２】
該下部挟持片１１は、図２に示すように、細幅であって、そのほぼ中間位置に上向きの中折れ部１１ａが形成されている。また、下部挟持片１１には、その長手方向に滑り止め防止チューブ１１ｂが中折れ部１１ａを含むその左右にわたって貫通して装着されている。この滑り止めチューブ１１ｂは、例えば、ゴム、塩化ビニール、人工皮革、皮革または布等において、表面における摩擦係数が高く、伸縮性のある素材を使用して中空円筒状のチューブを形成し、これを扁平に押圧したときの中空部の幅が下部挟持片１１の幅よりも若干狭くなるように設計したものである。したがって、滑り止めチューブ１１ｂは、その中空部に下部挟持片１１を容易に貫通させて嵌め込むことができる。
【００１３】
該上部挟持片１２は、図１に示すように、上向き湾曲形状であって、横長楕円空間部１２ａが形成されており、下部挟持片１１の中折れ部１１ａが突き出るようになっている。このように構成したことにより、下部挟持片１１の中折れ部１１ａが上部挟持片１２の横長楕円空間部１２ａに入り込むので、挟持力が増大する効果がある。
【００１４】
上記のように構成したことにより、下部挟持片１１に対して、その長手方向に滑り止めチューブ１１ｂを貫通して装着するだけの作業で本実施例に係る滑落防止ヘアピン１０が製造できる。したがって、製造コストが安価となる。しかも、図４に示すように、下部挟持片１１の裏面側にも滑り止め防止チューブ１１ｂが位置することになるので、下部挟持片１１と上部挟持片１２とにより挟持された頭髪が滑り止め防止チューブ１１ｂに接するだけでなく、下部挟持片１１の裏面に位置する滑り止め防止チューブ１１ｂにも頭髪が接するので、滑落防止効果が向上し、優れた効果を発揮し得るものである。
【実施例２】
【００１５】
図５は実施例２に係る滑落防止ヘアピンの上方から見た斜視図である。実施例２は、実施例１における滑り止めチューブ１１ｂの変更例であり、その余の構成は実施例１と共通するので、その共通する部分の説明は実施例１の説明に譲り、相違点のみを説明する。また、実施例１と共通する部分は図５において実施例１と同一符号を付した。
【００１６】
図５に示す滑落防止ヘアピン２０は、下部挟持片１１に、その中折れ部１１ａを除くようにしてその左右に１対の滑り止め防止チューブ２１ｂを配したものである。
【００１７】
このように構成することにより、実施例１において述べた作用及び効果に加え、滑り止め防止チューブ２１ｂの材料を減少させることができるので製造コストが安価になり、また、滑り止め防止チューブ２１ｂが実施例１における滑り止めチューブ１１ｂより短尺になるので、下部挟持片１１に対する滑り止め防止チューブ２１ｂの嵌め込み作業が一層容易となる。また、左右に配した滑り止め防止チューブ２１ｂの色彩を変えることにより雅趣に富んだものとなる。
【実施例３】
【００１８】
図６は実施例３に係る滑落防止ヘアピンの上方から見た斜視図である。実施例３は、実施例１における滑り止めチューブ１１ｂの変更例であり、その余の構成は実施例１と共通するので、その共通する部分の説明は実施例１の説明に譲り、相違点のみを説明する。また、実施例１と共通する部分は図６において実施例１と同一符号を付した。
【００１９】
図６に示す滑落防止ヘアピン３０は、滑り止め防止チューブ３１ｂを、下部挟持片１１に対して、中折れ部１１ａを除く左右に配し、かつ、該左右の滑り止め防止チューブ３１ｂをそれぞれ分断して配したものである。
【００２０】
このように構成することにより、実施例１において述べた作用及び効果に加え、滑り止め防止チューブ３１ｂの材料をさらに減少させることができるので製造コストが安価になり、また、滑り止め防止チューブ３１ｂが実施例１における滑り止めチューブ１１ｂよりさらに短尺になるので、下部挟持片１１に対する滑り止め防止チューブ３１ｂの嵌め込み作業がより一層容易となる。また、左右に分断して配した滑り止め防止チューブ３１ｂの色彩を個々に変えることにより雅趣に富んだものとなる。
【図面の簡単な説明】
【００２１】
【図１】実施例１に係る滑落防止ヘアピンの上方から見た斜視図である。
【図２】実施例１に係る滑落防止ヘアピンの下方から見た斜視図である。
【図３】実施例１に係る滑落防止ヘアピンの上部挟持片を跳ね上げた状態を下方から見た斜視図である。
【図４】実施例１に係る滑落防止ヘアピンの使用状態を示す概略側面図である。
【図５】実施例２に係る滑落防止ヘアピンの上方から見た斜視図である。
【図６】実施例３に係る滑落防止ヘアピンの上方から見た斜視図である。
【図７】従来のヘアピンの上部挟持片を跳ね上げた状態を下方から見た斜視図である。
【符号の説明】
【００２２】
１０・・・滑落防止ヘアピン
１０ａ・・折り曲げ部
１１・・・下部挟持片
１１ａ・・中折れ部
１１ｂ・・滑り止めチューブ
１２・・・上部挟持片
１２ａ・・横長楕円空間部
２０・・・滑落防止ヘアピン
２１ｂ・・滑り止め防止チューブ
３０・・・滑落防止ヘアピン
３１ｂ・・滑り止め防止チューブ
【図１】
0003110400.tif 000003
【図２】
0003110400.tif 000004
【図３】
0003110400.tif 000005
【図４】
0003110400.tif 000006
【図５】
0003110400.tif 000007
【図６】
0003110400.tif 000008
【図７】
0003110400.tif 000009